(57)【要約】【課題】ドアレールの清掃作業を容易かつ高能率に行えるドアレール清掃器を提供することを目的とする。【解決手段】ドアレール１０６の上面全体および側面の上面側を包囲するように構成される本体部１０と、本体部１０の内面側に取り付けられ、ドアレール１０６の上面と対向に配置される磁石２０と、磁石２０を介して本体部１０の両端側に配置された一対の研磨材３０とから、ドアレール清掃器１を構成する。磁石２０は、ドアレール清掃器１をドアレール１の上面に装着したときに、ドアレール１０６の上面との間にギャップＧが形成されるようにして、本体部１０に取り付ける。研磨材３０は、その側に端部のみがドアレール１０６に当接されるようにして、本体部１０に取り付ける。【選択図】図１
2018145006.tif 000002
【特許請求の範囲】
【請求項１】
ドアレールの上面及び側面を包囲可能な形状に形成された本体部と、前記本体部の長さ方向の中央部分に配置された磁石と、前記磁石を介してその両側に配置された一対の研磨材と、を有し、
前記磁石は、前記一対の研磨材を前記ドアレールの上面に当接したとき、前記ドアレールの上面との間にギャップが形成されるように前記本体部に取り付けられ、
前記一対の研磨材は、前記ドアレールの上面に当接したときに、前記磁石と対向しない側の端部が前記ドアレールの上面に当接し、前記磁石と対向する側の端部と前記ドアレールの上面との間にギャップが形成されるように前記本体部に取り付けられることを特徴とするドアレール清掃器。
【請求項２】
前記本体部は、長さ方向の中央部分に形成された屈曲部と、前記屈曲部を介してその両側部分に形成された対称形の傾斜部と、を有することを特徴とする請求項１に記載のドアレール清掃器。
【請求項３】
前記本体部は、長さ方向の中央部分に、作業時に作業者が握る把手を有することを特徴とする請求項１に記載のドアレール清掃器。
【請求項４】
前記把手は、作業時に作業者が腕に巻くストラップを有することを特徴とする請求項３に記載のドアレール清掃器。
【請求項５】
前記本体部は、長さ方向の両端部に、前記一対の研磨材の端部を保持するストッパを有することを特徴とする請求項１に記載のドアレール清掃器。
【請求項６】
前記研磨材は、スポンジ研磨材であることを特徴とする請求項１に記載のドアレール清掃器。
【請求項７】
請求項１に記載のドアレール清掃器を用い、
前記ドアレール清掃器に備えられた一対の研磨材をドアレールの上面に当接し、かつ前記ドアレール清掃器に備えられた磁石と前記ドアレールとの間に磁気吸引力を作用させた状態で、前記ドアレールの長さ方向に前記ドアレール清掃器をスライドさせ、前記一対の研磨材と前記ドアレールの上面との間に作用する磁気吸引力により、前記ドアレールの上面に付着した塵埃及び錆を除去すると共に、前記ドアレール清掃器を前記ドアレールの長さ方向の軸線周りに搖動することにより、前記ドアレールの上面と側面との間の角部に付着した塵埃及び錆を除去することを特徴とするドアレール清掃方法。
【発明の詳細な説明】
【技術分野】
【０００１】
本発明は、ドアレール清掃器及びドアレール清掃方法に関する。
【背景技術】
【０００２】
従来、エレベータ装置のドアレールを清掃するために使用するドアレール清掃装置として、ドアの上方に配設したドアレールと、前記ドアの上端側に設けたドアハンガと、このドアハンガに設けられて前記ドアレールの長手方向に沿ってそのドアレール上を走行するローラと、前記ドアハンガに取り付けられて前記ドアレールの上面を清掃する清掃部材とを具備してなるエレベータのドアレール清掃装置において、前記清掃部材を、一端側が前記ドアハンガに固定され、かつ、他端側に複数個の取り付け用切り欠きが設けられる板状の保持体と、この保持体の取り付け用切り欠きに着脱可能に取り付けられる清掃ブラシ体と、この清掃ブラシ体を前記取り付け用切り欠きに取り付け固定するための固定具とから構成したことを特徴とするものが知られている（例えば、特許文献１参照）。
【０００３】
従来技術に係るドアレール清掃装置は、ドアハンガに取り付けられているので、ドアの開閉動作に伴って清掃ブラシ体によりドアレールの上面が自動的に清掃される。特許文献１には、清掃ブラシ体の下面をドアレールの上面に所定の力で押し付けた状態で、ドアが左右に移動することによって、ドアレールの上面に付着した塵埃や錆を取り除く機能を有している、と記載されている。
【先行技術文献】
【特許文献】
【０００４】
【特許文献１】特開２００６−３３５４９６号公報
【発明の概要】
【発明が解決しようとする課題】
【０００５】
ドアレールの清掃は、ドアレール上におけるローラの走行を滑らかにして、ドアの開閉動作を円滑にするため、及び異音の発生を防止するために行われる。
【０００６】
しかしながら、従来のドアレール清掃装置は、ドアレールの上面に清掃ブラシ体の下面を当接する構成になっているので、ドアレールの上面に高い面圧をかけることが難しく、ドアレールの上面に強固に付着した塵埃や錆を除去することが難しいという問題がある。即ち、ドアレールの上面に付着した塵埃や錆を除去するためには、清掃ブラシ体によってドアレールの上面に強圧をかける必要があるが、ドアレールの上面に清掃ブラシ体の下面を当接する構成であると、ドアレールと清掃ブラシ体との接触面積が大きくなるために、ドアレールの上面に強圧をかけることが難しく、ドアレールの上面に強固に付着した塵埃や錆を効率的に除去することが困難である。勿論、清掃ブラシ体の下面の面積を小型化すれば、このような問題を解決することができるが、清掃ブラシ体の下面の面積を小型化すると、清掃ブラシ体の寿命が短くなるため、清掃ブラシ体の無駄が大きくなる。
【０００７】
また、従来のドアレール清掃装置は、ドアレールの上面に付着した塵埃や錆を取り除く機能を有しているとしても、ドアレールの上面と側面との間の角部に付着した塵埃や錆を取り除く機能については有していないので、ドアレールに対して十分な清掃機能を有しているとは言い難い。即ち、ドアレールには、上面のみならず、上面と側面との間の角部にも塵埃や錆が付着する。一方、ドアレール上を転動するローラには、ドアレールからのローラの脱落を防止するため、側面に脱落防止用のフランジ部が備えられるのが一般的である。そのため、ドアレールの側面に塵埃や錆が付着していると、ドアレールの側面に付着した塵埃や錆に走行中のローラのフランジ部が接触して、ドアの開閉動作が不安定になったり、異音が発生することがある。
【０００８】
ドアレール清掃装置によって除去しきれない塵埃や錆については、作業者が手作業で除去しなければならないが、ドアレールに付着した塵埃や錆を除去するための作業スペースは極めて狭く、清掃作業を効率的に行うことができないので、作業に長時間を要し、作業者の肉体的負担も大きい。特に、高階床のビルに設置されたエレベータについては、作業箇所が多いために、このような問題が顕著になる。
【０００９】
本発明は、このような従来技術の問題に鑑みてなされたものであり、ドアレールの清掃作業を容易かつ高能率に行えるドアレール清掃器を提供することを目的とする。
【課題を解決するための手段】
【００１０】
本発明は、上記目的を達成するために、ドアレール清掃器に関しては、ドアレールの上面及び側面を包囲可能な形状に形成された本体部と、前記本体部の長さ方向の中央部分に配置された磁石と、前記磁石を介してその両側に配置された一対の研磨材と、を有し、前記磁石は、前記一対の研磨材を前記ドアレールの上面に当接したとき、前記ドアレールの上面との間にギャップが形成されるように前記本体部に取り付けられ、前記一対の研磨材は、前記ドアレールの上面に当接したときに、前記磁石と対向しない側の端部が前記ドアレールの上面に当接し、前記磁石と対向する側の端部と前記ドアレールの上面との間にギャップが形成されるように前記本体部に取り付けられることを特徴とする。
【００１１】
また本発明は、上記目的を達成するために、ドアレール清掃方法に関しては、上記構成のドアレール清掃器を用い、前記ドアレール清掃器に備えられた一対の研磨材をドアレールの上面に当接し、かつ前記ドアレール清掃器に備えられた磁石と前記ドアレールとの間に磁気吸引力を作用させた状態で、前記ドアレールの長さ方向に前記ドアレール清掃器をスライドさせ、前記一対の研磨材と前記ドアレールの上面との間に作用する磁気吸引力により、前記ドアレールの上面に付着した塵埃及び錆を除去すると共に、前記ドアレール清掃器を前記ドアレールの長さ方向の軸線周りに搖動することにより、前記ドアレールの上面と側面との間の角部に付着した塵埃及び錆を除去することを特徴とする。
【発明の効果】
【００１２】
本発明によれば、ドアレールの上面及び上面と側面との間の角部に付着した塵埃及び錆を容易かつ高能率に除去することができる。上記した以外の課題、構成及び効果は、以下に記載する実施形態の説明により明らかにされる。
【図面の簡単な説明】
【００１３】
【図１】エレベータのドア駆動装置を示す説明図である。
【図２】実施形態に係るドアレール清掃器の正面方向から見た断面図である。
【図３】実施形態に係るドアレール清掃器の側面図である。
【図４】実施形態に係るドアレール清掃器を上方から見た斜視図である。
【図５】実施形態に係るドアレール清掃器を下方から見た斜視図である。
【図６】実施形態に係るドアレール清掃器の使用状態の斜視図である。
【図７】実施形態に係るドアレール清掃器を用いてドアレールの戸袋側の端部を清掃する状態を示す斜視図である。
【図８】実施形態に係るドアレール清掃器を用いてドアハンガの下方部分を清掃する状態を示す斜視図である。
【図９】他の実施形態に係るドアレール清掃器の正面方向から見た断面図である。
【発明を実施するための形態】
【００１４】
まず、本発明の実施形態を説明するに先立ち、図１を用いてエレベータのドア駆動装置１００について説明する。
【００１５】
図１に示すように、本例のドア駆動装置１００は、図示しない操作盤に備えられた戸開釦又は戸閉釦の操作に応じてドア１０１ａ、１０１ｂを開閉駆動するドアモータ１０２と、ドアモータ１０２の出力軸に取り付けられた駆動プーリ１０３と、駆動プーリ１０３と同等の高さ位置に取り付けられ、駆動プーリ１０３に追従して回転する従動プーリ１０４とを含んでいる。
【００１６】
また、本例のドア駆動装置１００は、駆動プーリ１０３及び従動プーリ１０４に巻き掛けられた駆動ベルト１０５と、駆動ベルト１０５とドア１０１ａ、１０１ｂとの間に配置され、駆動ベルト１０５に沿って延設されたドアレール１０６と、ドア１０１ａ、１０１ｂの上端部に固定され、ドア１０１ａ、１０１ｂからドアレール１０６よりも上方へ突出した一対のドアハンガ１０７ａ、１０７ｂとを含んでいる。
【００１７】
さらに、本例のドア駆動装置１００は、ドアハンガ１０７に回転自在に取り付けられ、ドアレール１０６を上下から挟持した状態で、ドアレール１０６に沿って走行する複数（図１の例では、８つ）のハンガローラ１０８と、一端がドアハンガ１０７ａ、１０７ｂに固定され、他端が駆動ベルト１０５の上部側及び下部側の部分にそれぞれ係合する一対の係合部材１０９ａ、１０９ｂとを含んでいる。ドアモータ１０２は、図示しないドアモータ制御部により、駆動及び停止が制御される。
【００１８】
本例のドア駆動装置１００は、このように構成されているので、ドアモータ１０２により駆動ベルト１０５を矢印Ａの方向に駆動すると、図１に表示した右側のドア１０１ａについては、係合部材１０９ａ及びドアハンガ１０７ａを介して右方向に移動し、戸開状態となる。また、図１に表示した左側のドア１０１ｂについては、係合部材１０９ｂ及びドアハンガ１０７ｂを介して左方向に移動し、戸開状態となる。このとき、各ハンガローラ１０８は、ドアレール１０６上を走行し、ドアハンガ１０７ａ、１０７ｂ及びドア１０１ａ、１０１ｂをそれぞれ戸開方向へ案内する。
【００１９】
一方、戸開状態において、ドアモータ１０２を逆転駆動して、駆動ベルト１０５を矢印Ｂの方向に駆動すると、図１に表示した右側のドア１０１ａについては、係合部材１０９ａ及びドアハンガ１０７ａを介して左方向に移動し、戸閉状態となる。また、図１に表示した左側のドア１０１ｂについては、係合部材１０９ｂ及びドアハンガ１０７ｂを介して右方向に移動し、戸閉状態となる。この場合にも、各ハンガローラ１０８は、ドアレール１０６上を走行し、ドアハンガ１０７ａ、１０７ｂ及びドア１０１ａ、１０１ｂをそれぞれ戸閉方向へ案内する。
【００２０】
次に、本発明の実施形態に係るドアレール清掃器１の構成について説明する。
【００２１】
図２は実施形態に係るドアレール清掃器１の正面方向から見た断面図、図３は実施形態に係るドアレール清掃器１の側面図、図４は実施形態に係るドアレール清掃器１を上方から見た斜視図、図５は実施形態に係るドアレール清掃器１を下方から見た斜視図である。これらの図から明らかなように、実施形態に係るドアレール清掃器１は、ドアレール１０６の上面及び側面を包囲可能な形状に形成された本体部１０と、本体部１０の長さ方向の中央部分に配置された磁石２０と、磁石２０を介してその両側に配置された一対の研磨材３０とをもって構成されている。本体部１０は、例えば非磁性のステンレス鋼などをもって作製される。
【００２２】
本体部１０は、天板１１と、天板１１の両側辺部より下向きに折り下げられた２枚の側板１２ａ、１２ｂとから構成されており、図２に示すように、全体としてドアレール１０６の上面全体及び側面の上面寄りの一部を包囲可能な下向きＵ字形に形成されている。天板１１は、図２に示すように、正面方向から見たとき、長さ方向の中央部分に形成された所定長さの水平部１３と、水平部１３の端部から屈曲部１４を介して下向きに折り曲げられた傾斜部１５とを有している。傾斜部１５は、屈曲部１４から左右対称形に形成される。本実施形態においては、水平部１３に対する傾斜部１５の曲げ加工を容易化するため、図５に示すように、屈曲部１４に相当する側板１２の一部に切欠１６が形成されている。また、天板１１の端部には、研磨材３０の変形を容易にするための切欠１１ａが設けられている。
【００２３】
側板１２ａ、１２ｂの内面の間隔は、図３に示すように、ドアレール１０６の厚みよりも大きく設定される。このように構成することにより、実施形態に係るドアレール清掃器１は、ドアレール１０６の上面に当接した状態で、矢印Ｃの方向及び矢印Ｄの方向に揺動させることが可能であり、ドアレール１０６の上面のみならず、ドアレール１０６の上面と側面との間の角部の清掃も可能になる。
【００２４】
また、図３に示すように、一方の側板１２ａの高さ寸法は、他方の側板１２ｂの高さ寸法よりも小さく形成されている。このように構成することにより、隙間が小さい片開きドアの第２パネル付きレールの清掃及び錆落とし作業に適用しても、把手７を用いての回転が容易に行えて効果的な作業を容易に行うことができる（図８参照）。このように、実施形態に係るドアレール清掃器１は、狭隘な作業空間においても、ドアレール１０６へのドアレール清掃器１の装着を行うことができる。
【００２５】
水平部１３の側板１２ｂ側には、図３〜図５に示すように、作業時に作業員が手で把持してドアレール清掃器１を操作するための把手１７が、本体部１０の長さ方向に対して直角の方向に突出形成されている。このように、本体部１０に把手１７を形成すると、作業者は把手１７を把持することによってドアレール１０６の清掃を行うことができるので、手指が入らない狭隘な作業空間内において、ドアレール１０６の清掃を効率的に行うことができる。把手１７には、図４に示すように、ストラップ１８を連結することもできる。ストラップ１８は、先端部に設けられたリング状の連結金具１９を、把手１７に開設された透孔１７ａに挿通することによりドアレール清掃器１に連結できる。ストラップ１８は、作業中に作業者が腕に巻き付けて使用する。ストラップ１８には、サイズ調整環１８ａが設けられており、作業者は、ストラップ１８の円環部分に腕を通した後、サイズ調整環１８ａを締め付けることにより、作業中にドアレール清掃器１が不用意に脱落することを防止できる。
【００２６】
磁石２０は、本体部１０に形成された水平部１３の内面側に、例えば接着剤等を用いて固定される。磁石２０としては、永久磁石を用いることもできるし、電磁石を用いることもできる。永久磁石としては、強力な磁力を有することから、ネオ時有無磁石を用いることができる。磁石２０は、図２に示すように、研磨材３０の下面をドアレール１０６の上面に当接したとき、磁石２０の下面とドアレール１０６の上面との間にギャップＧが形成されるようにして本体部１０に取り付けられる。
【００２７】
研磨材３０は、長方体形状に形成されており、本体部１０に形成された傾斜部１５の内面側に、例えば接着剤等を用いて固定される。従って、研磨材３０は、図２に示すように、本体部１０をドアレール１０６の上面においたとき、磁石２０と対向しない外側の端部のみがドアレール１０６の上面に当接し、磁石２０と対向する内側の端部については、ドアレール１０６の上面に当接しないようになっている。本実施形態においては、研磨材３０の長さを７０ｍｍとし、研磨材３０の外側の端部をドアレール１０６の上面に当接したとき、研磨材３０の内側の端部とドアレール１０６の上面との間に約１ｍｍのギャップができるようにした。研磨材３０としては、ドアレール１０６との馴染み性が良く、かつドアレール１０６に付着した塵埃や錆の除去効果に優れることから、スポンジ研磨材が好適に用いられる。
【００２８】
以下、上記のように構成された実施形態に係るドアレール清掃器１を用いたドアレール１０６の清掃方法を、図６〜図８を用いて説明する。
【００２９】
まず作業者は、図７に示すように、ストラップ１８を手首に巻き付けた後に、サイズ調整環１８ａを調節して、ドアレール清掃器１を確実に手首に装着する。次に、作業者は、図７に示すように、把手１７を手指で持ち、研磨材３０をドアレール１０６側に向けて、清掃対象であるドアレール１０６の上端部に本体部１０を被せる。これにより、磁石２０とドアレール１０６との間に作用する磁気吸引力により、研磨材３０の外側の端部がドアレール１０６の上面に押圧される。研磨材３０は、この押圧力によって、ドアレール１０６の上面の形状に馴染むように変形する。上記したように、本体部１０の端部には、切欠１１ａが設けられているので、研磨材３０は容易に変形し、ドアレール１０６の上面の形状に馴染む形状となる。このとき、磁石２０の下面とドアレール１０６の上面との間にはギャップＧが形成されているので、磁石２０がドアレール１０６に吸着して、ドアレール清掃器１が操作不能となることはない。
【００３０】
このとき、研磨材３０は、図１に示すように、外側の端部のみがドアレール１０６の上面に当接し、内側の端部については、ドアレール１０６の上面から離れた状態になる。従って、研磨材３０とドアレール１０６の上面とを面同士で接触させる場合に比べて、各部材の接触面積が小さくなり、ドアレール１０６の上面に作用する研磨材３０の面圧が大きくなって、ドアレール１０６に付着した塵埃や錆の除去を効率的に行うことができる。また、研磨材３０におけるドアレール１０６の上面との接触部が偏摩耗した場合には、研磨材３０の偏摩耗を生じていない部分が本体部１０の端部に来るように、本体部１０に対して研磨材３０を付け替えることにより、新品と同様の清掃能力を回復できるので、研磨材３０の長期的な有効活用を図ることができる。
【００３１】
研磨材３０をドアレール１０６の上面に押圧した状態において、図６に示すように、作業者がドアレール１０６の長さ方向に沿ってドアレール清掃器１を矢印Ｅ及び矢印Ｆの方向に往復移動すると、研磨材３０とドアレール１０６の上面との間に摩擦力が作用し、その摩擦力によりドアレール１０６の上面に付着した塵埃や錆が除去される。このとき、天板１１の両側部からは、側板１２ａ、１２ｂが形成されているので、これら側板１２ａ、１２ｂがドアレール清掃器１の案内ガイドとして機能し、ドアレール１０６からのドアレール清掃器１の脱落が防止される。
【００３２】
また、図６に示す状態から、ドアレール清掃器１を矢印Ｃの方向又は矢印Ｄの方向に若干揺動した状態で、作業者がドアレール１０６の長さ方向に沿ってドアレール清掃器１を矢印Ｅ及び矢印Ｆの方向に往復移動することにより、ドアレール１０６の上面と側面との間の角部に付着した塵埃や錆を除去できる。このように、実施形態に係るドアレール清掃器１は、ドアレール１０６の上面のみならず、ドアレール１０６の上面と側面との間の角部に付着した塵埃や錆をも除去できるので、ドア１０１ａ、１０１ｂの開閉動作を円滑なものにでき、かつ異音の発生を防止することができる。
【００３３】
図７は、実施形態に係るドアレール清掃器１を用いてドアレール１０６の戸袋側の端部を清掃する状態を示している。また、図８は、実施形態に係るドアレール清掃器１を用いてドアハンガ１０７ａ、１０７ｂの下方部分を清掃する状態を示している。これらの図に示すように、ドアレール１０６の清掃は、狭隘な作業空間の中で行わなくてはならず、しかも高所での作業であるので、作業者の肉体的な負担が大きい。しかし、実施形態に係るドアレール清掃器１は、ドアレール１０６の清掃に必要な押圧力が磁石２０の下面とドアレール１０６の上面との間に作用する磁気吸引力により与えられるので、作業者は研磨材３０をドアレールの清掃面に押し付ける操作を行う必要がなく、作業者の肉体的負担を軽減することができる。
【００３４】
また、実施形態に係るドアレール清掃器１は、本体部１０の長さ方向の中央部に把手１７が形成されているので、図７に示すように、本体部１０の一端側を戸袋内にまで挿入することができ、ドアレール１０６の戸袋側の端部まで清掃を行うことができる。更に、実施形態に係るドアレール清掃器１は、一方の側板１２ａの高さ寸法を他方の側板１２ｂの高さ寸法よりも小さくしたので、図８に示すように、ドアハンガ１０７ａ、１０７ｂの下方部分のような作業者の手が入らない狭隘な箇所にも適用することができ、清掃の仕残しを防止できる。
【００３５】
なお、本体部１０の長さ方向の両端部には、図９に示すように、研磨材３０を支えるストッパ３１を形成することもできる。このようにすると、清掃時に研磨材３０に大きな摩擦力が作用した場合にも、本体部１０からの研磨材３０の脱落を防止できるので、ドアレール清掃器１の信頼性を高めることができる。
【符号の説明】
【００３６】
１    ドアレール清掃器
１０    本体部
１１    天板
１１ａ    切欠
１２ａ、１２ｂ    側板
１３    水平部
１４    屈曲部
１５    傾斜部
１６    切欠
１７    把手
１８    ストラップ
１９    連結金具
２０    磁石
３０    研磨材
１０６    ドアレール
【図１】
2018145006.tif 000003
【図２】
2018145006.tif 000004
【図３】
2018145006.tif 000005
【図４】
2018145006.tif 000006
【図５】
2018145006.tif 000007
【図６】
2018145006.tif 000008
【図７】
2018145006.tif 000009
【図８】
2018145006.tif 000010
【図９】
2018145006.tif 000011